(57)【特許請求の範囲】
【請求項１】
カップハウジング及びカップライナーを含み、
前記カップライナーは、第１カップ開口部及び軟質材料から構成された第１カップ本体を含み、
前記カップハウジングは、硬質材料から構成され、
前記カップライナーは、前記第１カップ開口部を介して、前記カップハウジングに接合固定され、
前記カップハウジングは、第２カップ開口部及び第２カップ本体を含み、前記第２カップ開口部の内側側壁は、ねじ山によって、前記第１カップ開口部の外側側壁に回転接合され、
前記カップライナーが前記第２カップ本体内に装着された時に、前記第１カップ本体の底部は前記第２カップ本体の底部上に接触した状態が保たれ、
前記第１カップ開口部の内径は前記第１カップ本体の内径と同一であり、前記第１カップ開口部の外径は前記第１カップ本体の外径より大きく、前記第１カップ本体の外径は前記第２カップ本体の内径より小さい
ことを特徴とするソフトコアカップ。
【請求項２】
前記ソフトコアカップは、カップカバーをさらに含み、
前記第２カップ開口部の内側側壁は、ねじ山によって、前記第１カップ開口部の外側側壁の下部に回転接合され、
前記カップカバーの内側側壁は、ねじ山によって、前記第１カップ開口部の外側側壁の上部に回転接合される
ことを特徴とする請求項１に記載のソフトコアカップ。
【請求項３】
前記ソフトコアカップは、硬質材料から構成されたカップカバーをさらに含み、
前記カップカバーは、カバートップ及びカバー本体を含み、前記カバー本体の第１端部の外径は前記カバー本体の第２端部の外径より大きく、前記カバー本体の第１端部は前記カバートップに接続され、前記カバー本体の第１端部の外径は前記第１カップ開口部の内径より大きく、前記カバー本体の第２端部は、前記第１カップ開口部内に収納される、
又は、
前記第１カップ開口部の内側側壁には、少なくとも２層の互いに平行に配置されるねじ山が設置され、前記カバー本体の外側側壁は、前記互いに平行に配置されるねじ山によって、前記第１カップ開口部の内側側壁の上部に固定される
ことを特徴とする請求項１に記載のソフトコアカップ。
【請求項４】
前記ソフトコアカップは、軟質材料から構成されたカップカバーをさらに含み、
前記カップカバーは、カバー本体を含み、前記カバー本体の内径は前記第１カップ開口部の外径と同一であり、前記カバー本体の内側側壁は前記第１カップ開口部の外側側壁に対して吸い付くとともに取り囲むか、
又は、
前記カバー本体の内径は前記第２カップ開口部の外径と同一であり、前記カバー本体の内側側壁は前記第２カップ開口部の外側側壁に対して吸い付くとともに取り囲む
ことを特徴とする請求項１に記載のソフトコアカップ。
【請求項５】
前記第１カップ本体の内側側壁に、複数の凸部が設置されている
ことを特徴とする請求項１に記載のソフトコアカップ。
【請求項６】
前記第１カップ開口部と、前記第１カップ本体とは、軟質材料によって接合される
ことを特徴とする請求項１に記載のソフトコアカップ。
【請求項７】
前記第１カップ本体のカップ本体部とカップ底部とは、円弧状の接合部によって、接合される
ことを特徴とする請求項１に記載のソフトコアカップ。
【請求項８】
請求項１乃至７の中のいずれかの１項に記載のソフトコアカップを製造する方法であって、
硬質材料を利用して前記第１カップ開口部を１回目に射出成形し、前記第１カップ開口部に対して軟質材料を利用して第１カップ本体を２回目に射出成形して、一部の軟質材料が前記第１カップ開口部の表面を囲むようにする
ことを特徴とするソフトコアカップを製造する方法。
【発明の詳細な説明】
【技術分野】
【０００１】
本発明は、カップ設計分野に関し、特に、ソフトコアカップに関する。
【背景技術】
【０００２】
カップは、一般的に、人々によって液体を収納する容器であり、長期間にかけて使用すると、カップの内壁に汚れが付着される。
【０００３】
現在市場に販売されているカップの材料は、ほとんどが硬質材料であるため、ユーザによってカップ内壁上の汚れを洗浄しようとすると、手をカップ内に入れて道具を利用して洗浄しなければならない。このようなカップ洗浄方法は非常に不便である。
【発明の概要】
【発明が解決しようとする課題】
【０００４】
本発明は、市場に販売されているカップの材料のほとんどが硬質材料であるため、ユーザによるカップ洗浄が非常に不便になっている問題を解決するために、ソフトコアカップを提供する。
【課題を解決するための手段】
【０００５】
本発明に係る第１の実施形態では、ソフトコアカップを提供する。
【０００６】
上記ソフトコアカップは、カップハウジング及びカップライナーを含み、
上記カップライナーは、第１カップ開口部及び軟質材料から構成された第１カップ本体を含み、
上記カップハウジングは、硬質材料から構成され、
上記カップライナーは、上記第１カップ開口部を介して、上記カップハウジングに接合固定される。
【０００７】
本発明に係る第１の実施形態によって提供する構成は、以下の有益な効果をもたらす。軟質材料を利用してカップライナーの第１カップ本体を構成しているが、軟質材料は変形し易いから、ユーザによりカップライナーを圧迫しながら捻ったり捏ねたりすることで、カップライナーの内壁を洗浄できる。したがって、現在市場に販売されているカップの材料のほとんどが硬質材料であるため、ユーザのカップ洗浄が非常に不便になっている問題を解決できる。このため何の道具が無くても簡便かつ迅速にカップを手洗いできるという効果を奏する。
【０００８】
一態様として、上記カップハウジングは、第２カップ開口部及び第２カップ本体を含み、上記第２カップ開口部の内側側壁は、ねじ山によって、上記第１カップ開口部の外側側壁に回転接合される。
【０００９】
本発明に係る第１の実施形態によって提供する一態様の構成は、以下の有益な効果をもたらす。第２カップ開口部の内側側壁が、ねじ山によって、第１カップ開口部の外側側壁に回転接合されることにより、カップライナーがカップハウジングに接合固定されて、カップライナーがカップハウジング内で振動したり、カップハウジング内から落下したりすることを防止した。
【００１０】
一態様として、上記ソフトコアカップは、カップカバーをさらに含み、
上記第２カップ開口部の内側側壁は、ねじ山によって、上記第１カップ開口部の外側側壁の下部に回転接合され、
上記カップカバーの内側側壁は、ねじ山によって、上記第１カップ開口部の外側側壁の上部に対して回転接合される。
【００１１】
本発明に係る第１の実施形態によって提供する一態様の構成は、以下の有益な効果をもたらす。カップカバーの内側側壁が、ねじ山によって、第１カップ開口部の外側側壁の上部に回転接合されることにより、カップカバーとカップライナーの第１カップ開口部とを密着させる。このため、カップライナーの密封性を保証し、カップカバーとカップライナーとが回転接合された後のカップライナー内の液体の漏れを有効に防止できる。
【００１２】
一態様として、上記ソフトコアカップは、硬質材料から構成されたカップカバーをさらに含み、
上記カップカバーは、カバートップ及びカバー本体を含み、上記カバー本体の第１端部の外径は上記カバー本体第２端部の外径より大きく、上記カバー本体の第１端部は上記カバートップに接続され、上記カバー本体の第１端部の外径は上記第１カップ開口部の内径より大きく、上記カバー本体の第２端部は、上記第１カップ開口部内に収納されるか、
又は、
上記第１カップ開口部の内側側壁には、少なくとも２層の互いに平行しているねじ山が設置され、上記カバー本体の外側側壁は、上記互いに平行に配置されるねじ山によって、上記第１カップ開口部の内側側壁の上部に固定される。
【００１３】
本発明に係る第１の実施形態によって提供する一態様の構成は、以下の有益な効果をもたらす。カップカバーを「上部が大きくて下部が小さい」円錐台状に設計するか、又は、カップカバーのカバー本体の外壁に互いに平行に配置されるねじ山を設置することにより、カップカバーが第１カップ開口部をより堅固にブロックする。このため、カップライナーの密封性を保証することで、カップライナー内の液体の漏れを有効に防止できる。
【００１４】
一態様として、上記ソフトコアカップは、軟質材料から構成されたカップカバーをさらに含み、
上記カバー本体の内径は上記第１カップ開口部の外径と同一であり、上記カバー本体の内側側壁は上記第１カップ開口部の外側側壁に対して吸い付くとともに取り囲むか、
又は、
上記カバー本体の内径は上記第２カップ開口部の外径と同一であり、上記カバー本体の内側側壁は上記第２カップ開口部の外側側壁に対して吸い付くとともに取り囲む。
【００１５】
本発明に係る第１の実施形態によって提供する一態様の構成は、以下の有益な効果をもたらす。軟質材料の変形性及び吸い付き性を利用して、軟質材料から構成されたカバー本体の内側側壁が第１カップ開口部の外側側壁、又は、第２カップ開口部の外側側壁に対して吸い付くとともに取り囲むようにすることにより、カップカバーが第１カップ開口部をしっかりとブロックするようにする。これにより、カップライナーの密封性を保証して、カップライナー内の液体の漏れを有効に防止した。
【００１６】
一態様として、上記第１カップ本体の内側側壁に、複数の凸部が設置されている。
【００１７】
本発明に係る第１の実施形態によって提供する一態様の構成は、以下の有益な効果をもたらす。第１カップ本体の内側側壁に複数の凸部を設置することにより、カップライナーが捻られたり捏ねられたりする際に、カップライナーの内側側壁の間で発生する摩擦力が増加する。これにより、カップライナーを手動で捻ったり捏ねたりすることによる洗浄効果をより高めた。
【００１８】
一態様として、上記第１カップ開口部と、上記第１カップ本体とは、軟質材料によって接合される。
【００１９】
一態様として、上記第１カップ本体のカップ本体部とカップ底部とは、円弧状の接合部によって、接合される。
【００２０】
本発明に係る第１の実施形態によって提供する一態様の構成は、以下の有益な効果をもたらす。円弧状の接合部を利用して第１カップ本体のカップ本体部とカップ底部とを接合することにより、第１カップ本体の底部が３６０°にわたって洗浄デッドスペースのないカップ底部として構成されるようにした。これにより、ユーザが手動でカップライナーを洗浄する際の難易度を低下させるとともに、洗浄効果をより高めた。
【００２１】
一態様として、上記カップライナーが上記カップ本体内に装着された時に、上記第１カップ本体の底部が上記第２カップ本体の底部上に接触した状態が保たれる。
【００２２】
本発明に係る第１の実施形態によって提供する一態様の構成は、以下の有益な効果をもたらす。
【００２３】
第１カップ本体の底部を第２カップ本体の底部上に接触した状態が保たれることの作用により、カップライナー内に液体を収納した後にカップライナーがカップハウジング内で前後に移動することで液体が漏れることを有効に回避した。
【００２４】
一態様として、上記第１カップ開口部の内径は上記第１カップ本体の内径と同一であり、上記第１カップ開口部の外径は上記第１カップ本体の外径より大きく、上記第１カップ本体の外径は上記第２カップ本体の内径より小さい。
【００２５】
本発明に係る第１の実施形態によって提供する一態様の構成は、以下の有益な効果をもたらす。第１カップ本体の外径を第２カップ本体の内径より小さくなるようにすることで、第１カップ本体と第２カップ本体との間にスペースを形成した。これにより、ソフトコアカップの断熱の性能を改善した。
【００２６】
一態様として、硬質材料を利用して上記第１カップ開口部を１回目に射出成形し、上記第１カップ開口部に対して軟質材料を利用して第１カップ本体を２回目に射出成形することで、一部の軟質材料が上記第１カップ開口部の表面を囲むようにする。
【００２７】
以上の包括的な記述と以下の詳細な記述は、単に例示的なものであり、本発明を制限するものではないと、理解するべきである。
【００２８】
ここでの図面は、明細書に合併されて本明細書の一部を構成して本発明に合致する実施例を示し、明細書とともに本発明の原理の説明するために用いられる。
【図面の簡単な説明】
【００２９】
【図１】例示的な一実施例に係るソフトコアカップの構成を示す模式図である。
【図２】例示的な一実施例に係るソフトコアカップのカップライナーの断面の構成を示す模式図である。
【図３】例示的な一実施例に係るソフトコアカップのカップライナーのフォース構造を示す模式図である。
【図４】例示的な一実施例に係るソフトコアカップの構成を示す模式図である。
【図５】例示的な一実施例に係るソフトコアカップの構成を示す模式図である。
【図６】例示的な一実施例に係るソフトコアカップのカップカバーの構成を示す模式図である。
【発明を実施するための形態】
【００３０】
ここで、例示的な実施例を詳細に説明する。また、説明中の例は、図面に示している。以下の記述において、図面を説明する際に特に説明しない場合、異なる図面中の同一の符号は、同一又は同様の要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３１】
図１は、例示的な一実施例に係るソフトコアカップの構成を示す模式図である。図１に示したように、上記ソフトコアカップは、カップハウジング１２０及びカップライナー１１０を含む。
【００３２】
カップライナー１１０は、第１カップ開口部１１１及び軟質材料から構成された第１カップ本体１１２を含む。
【００３３】
カップハウジング１２０は、硬質材料から構成され、カップライナー１１０は、第１カップ開口部１１１を介してカップハウジング１２０に接合固定される。
【００３４】
上記のように、本発明によって提供されるソフトコアカップによると、軟質材料を利用してカップライナーの第１カップ本体を構成する。ここで軟質材料は変形し易いから、ユーザによりカップライナーを押し出して捻ったり捏ねたりすることで、カップライナーの内壁を洗浄できる。したがって、現在市場に販売されているカップの材料のほとんどが硬質材料であるため、ユーザのカップ洗浄が非常に不便になっている問題を解決する。このため何の道具が無くても簡便かつ迅速にカップを手洗いできる効果をもたらす。
【００３５】
軟質材料のカップライナーをカップハウジングにマッチングさせることで、水を収納し、且つ、洗浄しやすいという効果を得るために、以下、図２乃至図４を参照して、ソフトコアカップの構成を説明する。
【００３６】
図２は、例示的な一実施例に係るソフトコアカップのカップライナーの断面の構成を示す模式図である。図２に示したように、上記ソフトコアカップは、カップライナー１１０を含む。
【００３７】
カップライナー１１０は、第１カップ開口部１１１及び軟質材料から構成された第１カップ本体１１２を含む。このような軟質材料は、圧力を受けると容易に変形し、圧力がなくなると回復する。
【００３８】
カップライナー１１０の第１カップ開口部１１１の材質は、硬質材料であってもよいし、軟質材料であってもよい。第１カップ開口部１１１の材質が硬質材料である場合、第１カップ開口部１１１と第１カップ本体１１２とは軟質材料によって接合される。第１カップ開口部１１１の材質が軟質材料であることで、第１カップ開口部１１１と第１カップ本体１１２とは一体的なカップライナーを形成する。
【００３９】
一態様として、硬質材料を利用して第１カップ開口部１１１を１回目に射出成形し、軟質材料を利用して第１カップ開口部１１１に対して第１カップ本体１１２を２回目に射出成形して、一部の軟質材料が第１カップ開口部１１１の表面を囲むようにする。図２を参照すると、第１カップ開口部１１１の黒い充填部位が、硬質材料を利用して１回目に射出成形した第１カップ開口部の内層１１１ａである。軟質材料を利用して第１カップ開口部の内層１１１ａに対して２回目に射出成形することで、軟質材料が第１カップ開口部の内層１１１ａの表面を囲むようにして、第１カップ開口部１１１を形成する。
【００４０】
第１カップ本体１１２のカップ本体部とカップ底部１１２ｂとは、円弧状の接合部によって接合される。これにより、第１カップ本体１１２の底部１１２ｂが３６０°にわたって洗浄デッドスペースがないカップ底部となるように形成する。
【００４１】
図３は、例示的な一実施例に係るソフトコアカップのカップライナーのフォース構造を示す模式図である。図３に示したように、第１カップ本体１１２の外側側壁が、外部から内部（例えば、圧力方向ａ、または、圧力方向ｂ）への圧力を受けると、第１カップ本体１１２は力をうけて変形されることになる。第１カップ本体１１２が一定の程度変形された後には、第１カップ本体１１２の内側側壁は、互いに接触することになる。この時、カップライナー１１０の内部に清水をを注入して、第１カップ本体１１２を往復に捻ったり捏ねたりすると、カップライナー１１０を洗浄する目的を達することができる。
【００４２】
図２を参照すると、一態様として、在カップライナー１１０の第１カップ本体１１２の内側側壁に、複数の凸部１１２ａが設置されている。このようにすると、第１カップ本体１１２が往復するように捻られたり捏ねられたりする際に、第１カップ本体１１２の内側側壁の間で発生する摩擦力が増加する。これにより、手動で捻ったり捏ねたりすることでカップライナー１１０を洗浄できる効果を得ることができる。
【００４３】
上記のように、本発明によって提供されるソフトコアカップによると、軟質材料を利用してカップライナーの第１カップ本体を構成する。軟質材料は変形し易いから、ユーザによりカップライナーを押し出して捻ったり捏ねたりすることで、カップライナーの内壁を洗浄できる。したがって、現在市場に販売されているカップの材料のほとんどが硬質材料であるため、ユーザのカップ洗浄が非常に不便になっている問題を解決する。このため何の道具が無くても簡便かつ迅速にカップを手洗いできる効果をもたらす。
【００４４】
本実施例において、第１カップ本体の内側側壁に複数の凸部を設置することにより、カップライナーが捻られたり捏ねられたりする際に、カップライナーの内側側壁の間で発生する摩擦力が増加する。これにより、カップライナーを手動で捻ったり捏ねたりする洗浄効果をより高めた。
【００４５】
本実施例において、円弧状の接合部を利用して第１カップ本体のカップ本体部とカップ底部とを接合することにより、第１カップ本体の底部が３６０°にかけて洗浄デッドスペースのないカップ底部として構成されるようにして、ユーザが手動でカップライナーを洗浄する際の難易度を低下させることで、洗浄効果を改善した。
【００４６】
図４は、例示的な一実施例に係るソフトコアカップの構成を示す模式図である。図４に示したように、上記ソフトコアカップは、カップハウジング１２０をさらに含む。
【００４７】
カップハウジング１２０は、硬質材料から構成され、カップライナー１１０は、カップハウジング１２０内に装着され、第１カップ開口部１１１によってカップハウジング１２０に接合固定される。ここで、カップハウジング１２０は、第２カップ開口部１２１及び第２カップ本体１２２を含む。第２カップ開口部１２１の内側側壁は、ねじ山によって、第１カップ開口部１１１の外側側壁に回転接合される。第１カップ開口部１１１の外径と第２カップ開口部１２１の内径とは、同一である。
【００４８】
第２カップ開口部１２１と第１カップ開口部１１１とを固定するための方法は、少なくとも以下の二種の方法があることを、説明する必要がある。
【００４９】
第１の方法において、第２カップ開口部１２１の内側側壁上のねじ山と、第１カップ開口部１１１の外側側壁上のねじ山とが、回転ねじ山であり、第２カップ開口部１２１内側側壁が、ねじ山回転の方法によって、第１カップ開口部１１１の外側側壁に、回転接合される。ここで、第２カップ開口部１２１内側側壁のねじ山と、第１カップ開口部１１１の外側側壁のねじ山とは、いずれも、凸型ねじ山であるか、又は、第２カップ開口部１２１内側側壁のねじ山は、凸型ねじ山であるとともに、第１カップ開口部１１１の外側側壁のねじ山は、凹型ねじ山であるか、又は、第２カップ開口部１２１内側側壁のねじ山は、凹型ねじ山であるとともに、第１カップ開口部１１１の外側側壁のねじ山は、凸型ねじ山であってもよい。
【００５０】
第２の方法において、第２カップ開口部１２１の内側側壁上のねじ山と、第１カップ開口部１１１の外側側壁上のねじ山とが、非回転ねじ山であり、且つ、ねじ山が軟質材料から構成され、第２カップ開口部１２１の内側側壁と第１カップ開口部１１１の外側側壁上のねじ山とがいずれも第１カップ開口部１１１に平行に配置され、第２カップ開口部１２１の内側側壁が、ねじ山を互いに嵌め込む方法によって、第１カップ開口部１１１の外側側壁に固定される。ここで、第２カップ開口部１２１の内側側壁のねじ山と、第１カップ開口部１１１の外側側壁のねじ山とは、いずれも、凸型ねじ山であるか、又は、第２カップ開口部１２１の内側側壁のねじ山は、凸型ねじ山であるとともに、第１カップ開口部１１１の外側側壁のねじ山は、凹型ねじ山であってもよい。第２カップ開口部１２１の内側側壁のねじ山と、第１カップ開口部１１１の外側側壁のねじ山とが、いずれも、凸型ねじ山である場合、第２カップ開口部１２１及び／又は第１カップ開口部１１１のねじ山の数が、少なくとも２個であることで、カップライナー１１０を固定させる作用を有する必要があることを、説明する必要がある。
【００５１】
当然ながら、第２カップ開口部１２１と第１カップ開口部１１１とを固定する方法として、その他の実現方法を採用してもよく、このようなその他の実現方法も本発明の保護範囲に属する。
【００５２】
一態様として、カップライナー１１０がカップハウジング１２０内に装着された際に、第１カップ開口部１１１の内径と第１カップ本体１１２の内径とは同一であり、第１カップ開口部１１１の外径は第１カップ本体１１２の外径より大きく、第１カップ本体１１１の外径は第２カップ本体１２２の内径より小さい。このようにして、第１カップ本体１１１と第２カップ本体１２２との間でスペースを形成することにより、ソフトコアカップの断熱の性能を改善できる。
【００５３】
一態様として、カップライナー１１０に液体が収納された後にカップハウジング１２０内で前後に移動することを防止するために、カップライナー１１０をカップハウジング１２０内に配置した状態が保たれる際に、第１カップ本体１１２の底部が第２カップ本体１２２の底部上に接触した状態が保たれる。
【００５４】
上記のように、本発明によって提供されるソフトコアカップによると、軟質材料を利用してカップライナーの第１カップ本体を構成する。軟質材料は変形し易いから、ユーザによりカップライナーを押し出して捻ったり捏ねたりすることで、カップライナーの内壁を洗浄できる。したがって、現在市場に販売されているカップの材料のほとんどが硬質材料であるため、ユーザのカップ洗浄が非常に不便になっている問題を解決する。このため何の道具が無くても簡便かつ迅速にカップを手洗いできる効果をもたらす。
【００５５】
本実施例において、第２カップ開口部の内側側壁が、ねじ山によって、第１カップ開口部の外側側壁に回転接合されることにより、カップライナーがカップハウジングに接合固定されて、カップライナーがカップハウジング内で振動したり、カップハウジング内から落下したりすることを防止した。
【００５６】
本実施例において、第１カップ本体の底部を第２カップ本体の底部上に接触した状態が保たれることにより、カップライナー内に液体を収納した後にカップライナーがカップハウジング内で前後に移動して液体が漏れることを有効に回避した。
【００５７】
本実施例において、第１カップ本体の外径を第２カップ本体の内径より小さくなるようにすることで、第１カップ本体と第２カップ本体との間でスペースを形成したことにより、ソフトコアカップの断熱の性能を改善した。
【００５８】
さらなる一実施例において、ソフトコアカップのカップライナー内の水温を保証するために、また、カップライナー内に水を収納した後のソフトコアカップを携帯できるようにするために、ソフトコアカップが、図４に示したカップカバー１３０のようなカップカバーを、さらに含むようにしてもよい。
【００５９】
図４を参照すると、第２カップ開口部１２１の内側側壁は、ねじ山１１１ｃによって、第１カップ開口部１１１の外側側壁の下部に回転接合され、カバー本体１３２の内側側壁は、ねじ山１１１ｂによって、第１カップ開口部１１１の外側側壁の上部に回転接合される。
【００６０】
カップカバー１３０が硬質材料から構成される必要がある場合、ねじ山が互いに異なる性質の材料から構成される。この時、カバー本体１３２と第１カップ開口部１１１とを固定する方法としては、以下の方法がある。
【００６１】
（１）カップカバー１３０が硬質材料から構成され、且つ、カバー本体１３２の内径が第１カップ開口部１１１の外径と同一である場合、カバー本体１３２と第１カップ開口部１１１とを固定させる方法として、少なくとも以下の二種の方法がある。
【００６２】
第１の方法において、カバー本体１３２の内側側壁上のねじ山と、第１カップ開口部１１１の外側側壁上のねじ山とが、回転式ねじ山であり、カバー本体１３２の内側側壁が、ねじ山回転の方法によって、第１カップ開口部１１１の外側側壁に、回転接合される。ここで、カバー本体１３２の内側側壁のねじ山と、第１カップ開口部１１１の外側側壁のねじ山とは、いずれも、凸型ねじ山であるか、又は、カバー本体１３２の内側側壁のねじ山は、凸型ねじ山であるとともに、第１カップ開口部１１１の外側側壁のねじ山は、凹型ねじ山であるか、又は、カバー本体１３２の内側側壁のねじ山は、凹型ねじ山であるとともに、第１カップ開口部１１１の外側側壁のねじ山は、凸型ねじ山であってもよい。
【００６３】
第２の方法において、カバー本体１３２の内側側壁上のねじ山と、第１カップ開口部１１１の外側側壁上のねじ山とが、非回転ねじ山であり、且つ、ねじ山が軟質材料から構成され、カバー本体１３２の内側側壁上のねじ山と第１カップ開口部１１１の外側側壁上のねじ山とがいずれも第１カップ開口部１１１に平行に配置され、カバー本体１３２の内側側壁が、ねじ山を互いに嵌め込む方法によって、第１カップ開口部１１１の外側側壁に固定される。ここで、カバー本体１３２の内側側壁のねじ山と、第１カップ開口部１１１の外側側壁のねじ山とは、いずれも、凸型ねじ山であるか、又は、カバー本体１３２の内側側壁のねじ山は、凸型ねじ山であるとともに、第１カップ開口部１１１の外側側壁のねじ山は、凹型ねじ山であってもよい。カバー本体１３２の内側側壁のねじ山と、第１カップ開口部１１１の外側側壁のねじ山とが、いずれも、凸型ねじ山である場合、カバー本体１３２及び／又は第１カップ開口部１１１のねじ山の数は、少なくとも２個であり、カップカバー１３０を固定させる作用を有する必要があることを、説明する必要がある。
【００６４】
当然ながら、カバー本体１３２と第１カップ開口部１１１とを固定する方法は、その他の実現方法を採用してもよく、このようなその他の実現方法も本発明の保護範囲に属する。
【００６５】
（２）カップカバー１３０が硬質材料から構成され、且つ、カバー本体１３２の外径が第１カップ開口部１１１の内径と同一である場合、カバー本体１３２と第１カップ開口部１１１とを固定させる方法は、少なくとも以下の二種の方法がある。
【００６６】
第１の方法において、カバー本体１３２の外側側壁上のねじ山と、第１カップ開口部１１１の内側側壁上のねじ山１１１ｂが、回転式ねじ山であり、カバー本体１３２の外側側壁が、ねじ山回転の方法によって、第１カップ開口部１１１の内側側壁に、回転接合される。ここで、カバー本体１３２の外側側壁のねじ山と、第１カップ開口部１１１の内側側壁のねじ山１１１ｂとが、いずれも、凸型ねじ山であるか、又は、カバー本体１３２の外側側壁のねじ山は、凸型ねじ山であるとともに、第１カップ開口部１１１の内側側壁のねじ山１１１ｂは、凹型ねじ山であるか、又は、カバー本体１３２の外側側壁のねじ山は、凹型ねじ山であるとともに、第１カップ開口部１１１の内側側壁のねじ山１１１ｂは、凸型ねじ山であってもよい。
【００６７】
第２の方法において、カバー本体１３２の外側側壁上のねじ山と、第１カップ開口部１１１の内側側壁上のねじ山１１１ｂとが、非回転ねじ山であり、且つ、ねじ山が軟質材料から構成され、カバー本体１３２の外側側壁上のねじ山と第１カップ開口部１１１の内側側壁上のねじ山１１１ｂとがいずれも第１カップ開口部１１１に平行に配置され、カバー本体１３２の外側側壁が、ねじ山を互いに嵌め込む方法によって、第１カップ開口部１１１の内側側壁に固定される。ここで、カバー本体１３２の外側側壁のねじ山と、第１カップ開口部１１１の内側側壁のねじ山１１１ｂとは、いずれも、凸型ねじ山であるか、又は、カバー本体１３２の外側側壁のねじ山は、凸型ねじ山であるとともに、第１カップ開口部１１１の内側側壁のねじ山１１１ｂは、凹型ねじ山であってもよい。カバー本体１３２の外側側壁のねじ山と、第１カップ開口部１１１の内側側壁のねじ山１１１ｂとが、いずれも、凸型ねじ山である場合、カバー本体１３２及び／又は第１カップ開口部１１１のねじ山の数は、少なくとも２個であり、カップカバー１３０を固定させる作用を有する必要があることを、説明する必要がある。
【００６８】
当然ながら、カバー本体１３２と第１カップ開口部１１１とを固定する方法は、その他の実現方法を採用してもよく、このようなその他の実現方法も本発明の保護範囲に属する。
【００６９】
図５は、例示的な一実施例に係るソフトコアカップの構成を示す模式図である。図５に示したように、第１カップ開口部と回転接合された後のカバー本体１３２が、第２カップ開口部１２１の上部エンジに接合される。
【００７０】
図４を参照すると、カップカバー１３０が軟質材料から構成される場合、カバー本体１３２の内径が第１カップ開口部１１１の外径と同一である。カップカバー１３０と第１カップ開口部１１１とを固定する方法は、カバー本体１３２の内側側壁が、第１カップ開口部１１１の外側側壁の上部に吸い付かれるとともに取り囲まれる方法を含む。ここで、カバー本体１３２の内側側壁と、第１カップ開口部１１１の外側側壁の上部には、ねじ山が存在してもよいし、ねじ山が存在しなくてもよい。
【００７１】
一態様として、カップカバー１３０が軟質材料から構成される場合、カバー本体１３２の内径が第２カップ開口部１２１の外径と同一である。カップカバー１３０と第２カップ開口部１２１とを固定する方法は、カバー本体１３２の内側側壁が、第２カップ開口部１２１の外側側壁の上部に吸い付かれるとともに取り囲まれる方法を含む。ここで、カバー本体１３２の内側側壁と、第２カップ開口部１２１の外側側壁の上部には、ねじ山が存在してもよいし、ねじ山が存在しなくてもよい。
【００７２】
一方法において、カップカバー１３０の構成は、図６に示したカップカバー１３０のような、第１カップ開口部１１１と組み合わせて使用できる、その他の構成であってもよい。
【００７３】
図６は、例示的な一実施例に係るソフトコアカップのカップカバーの構成を示す模式図である。図６に示したように、カップカバー１３０は、カバートップ１３１及びカバー本体１３２を含み、カバー本体１３２の第１端部１３２ａの外径は、カバー本体１３２第２端部１３２ｂの外径より大きい。即ち、カップカバー１３０の形状は、「上部が大きく下部が小さい」円錐台に似ている。カバー本体１３２の第１端部１３２ａは、カバートップ１３１に接続される。カバー本体１３２の第１端部１３２ａの外径は、第１カップ開口部の内径より大きい。カバー本体１３２の第２端部１３２ｂは、第１カップ開口部内に収納される。
【００７４】
各実施例において言及された硬質材料は、ステンレス鋼、プラスチック等であってもよい。軟質材料は、シリコーン、ゴム等であってもよい。本実施例では硬質材料及び軟質材料の具体的な種類に対して限定していないことを、説明する必要がある。
【００７５】
上記のように、本発明によって提供されるソフトコアカップによると、軟質材料を利用してカップライナーの第１カップ本体を構成する。軟質材料は変形し易いから、ユーザによりカップライナーを押し出して捻ったり捏ねたりすることで、カップライナーの内壁を洗浄できる。したがって、現在市場に販売されているカップの材料のほとんどが硬質材料であるため、ユーザのカップ洗浄が非常に不便になっている問題を解決する。このため何の道具が無くても簡便かつ迅速にカップを手洗いできる効果をもたらす。
【００７６】
本実施例において、カップカバーの内側側壁が、ねじ山によって、第１カップ開口部の外側側壁の上部に回転接合される。これにより、カップカバーとカップライナーの第１カップ開口部とを密着させる。このようにして、カップライナーの密封性を保証することで、カップカバーとカップライナーとが回転接合された後のカップライナー内の液体の漏れを有効に防止できる。
【００７７】
本実施例において、カップカバーを「上部が大きく下部が小さい」円錐台状に設計するか、又は、カップカバーのカバー本体の外壁に互いに平行に配置されるねじ山を設置することにより、カップカバーが第１カップ開口部をもっとしっかりとブロックするようにする。このようにして、カップライナーの密封性を保証することで、カップライナー内の液体の漏れを有効に防止できる。
【００７８】
本実施例において、軟質材料の変形性及び吸い付き性を利用して、軟質材料から構成されたカバー本体の内側側壁が第１カップ開口部の外側側壁、又は、第２カップ開口部の外側側壁に対して吸い付くとともに取り囲むようにすることにより、カップカバーが第１カップ開口部をしっかりとブロックする。このようにして、カップライナーの密封性を保証することで、カップライナー内の液体の漏れを有効に防止した。
【００７９】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００８０】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【００８１】
本願は、出願番号がＣＮ２０１６１０１５０８６７.４であって、出願日が２０１６年３月１６日である中国特許出願に基づいて優先権を主張し、当該中国特許出願のすべての内容を援用する。
【図１】
0006427206.tif 000002
【図２】
0006427206.tif 000003
【図３】
0006427206.tif 000004
【図４】
0006427206.tif 000005
【図５】
0006427206.tif 000006
【図６】
0006427206.tif 000007